(57)【要約】      （修正有）【課題】文字板を回転させる機構において、安定した噛み合い関係が得られ、文字板を取付ける歯車の寸法管理が容易化され、製造コストを低減することの可能なからくり時計を提供する。【解決手段】時計文字板が回転する形式のからくり時計において、時計支持板３には文字板を回転駆動させるモータユニットを備え、時計文字板は、中央部を切り欠き形成したリング状板で構成され、文字板の背面側には、リング歯車２ｂを設け、モータユニットは、モータの回転軸に駆動連係する輪列４を備え、リング歯車２ｂは、輪列４の駆動歯車４ａと噛み合い、リング歯車２ｂと、輪列４の駆動歯車４ａとが噛み合う箇所の時計支持板３に、リング歯車２ｂを外周側から支持するプーリー５を設ける。【選択図】図３
2015197346.tif 000002
【特許請求の範囲】
【請求項１】
時計文字板２が回転する形式のからくり時計１において、
時計支持板３には前記時計文字板２を回転駆動させるモータユニットＭを備え、
前記時計文字板２は、中央部を切り欠き形成したリング状板２ａで構成され、
前記時計文字板２の背面側には、リング歯車２ｂを設け、
前記モータユニットＭは、モータの回転軸に駆動連係する輪列４を備え、
前記リング歯車２ｂは、前記輪列４の駆動歯車４ａと噛み合い、
前記リング歯車２ｂと、前記輪列４の駆動歯車４ａとが噛み合う箇所の前記時計支持板３に、前記リング歯車２ｂを外周側から支持するプーリー５を設けたことを特徴とするからくり時計。
【請求項２】
前記リング歯車２ｂを支持する前記プーリー５は、時計指針軸６を通る仮想鉛直線を外れる位置に設けられるとともに、前記仮想鉛直線に対し線対称となる前記プーリー５の反対側の時計支持板３には、前記リング歯車２ｂを支持する第２のプーリー７が設けられていることを特徴とする請求項１記載のからくり時計。
【請求項３】
前記指針軸６を回転中心とする円板ギア９を回転可能に装着するとともに、この円板ギア９に噛み合う複数の回転飾り用ギア１１を回転可能に装着し、更に、前記モータユニットＭに備えた前記輪列４に噛み合う第２輪列４０を設け、前記第２輪列４０に、前記複数の回転飾り用ギア１１のいずれかを噛み合わせたことを特徴とする請求項１記載のからくり時計。
【発明の詳細な説明】
【技術分野】
【０００１】
本発明は、時計文字板が回転する形式のからくり時計に関する。
【背景技術】
【０００２】
従来、文字板を回転させるからくり時計において、文字板を回転させる機構として、プーリーを上下に２個配置し、文字板に連係した歯車を挟んだものや、時計の中心に歯車を取付け、その歯車に文字板を取付けるものが知られている。
【先行技術文献】
【特許文献】
【０００３】
【特許文献１】特開２０１３−２４８３１号公報
【発明の概要】
【発明が解決しようとする課題】
【０００４】
上記従来技術において、プーリーを上下に２個配置し、文字板に連係した歯車を挟んだものは、歯車に寸法誤差が生じた場合のいわゆる寸法外れのときに、噛み合いが安定せず、軋みや噛み合い外れの起こる可能性がある。特に、歯車が例えば３５０ｍｍ径のような大きいものの場合には、寸法外れの起こる可能性が高く、上記のような不具合が起こりやすい。また、軋みが発生しないようにするためには、寸法逃げ即ちガタツキを多くする必要があるところ、とりわけ電波時計の文字板の場合は、このようなガタツキに起因して、剣付け（指針の取付け）ズレを生じるおそれがある。
【０００５】
また、上述した時計の中心に歯車を取付け、その歯車に文字板を取付けるものの場合は、歯車の噛み合いは安定するが、中央の歯車に文字板を取付ける必要があるため、からくり装飾のデザインに制約を生じる不都合がある。
【０００６】
本発明は、上記事情に鑑みてなされたもので、中央部を切欠き形成したリング状の文字板を用いる構成を基本に据え、文字板を回転させる機構において、安定した噛み合い関係が得られて品質が安定し、また、文字板を取付ける歯車の寸法管理が容易化され、延いては製造コストを低減することの可能なからくり時計を提供するものである。
【課題を解決するための手段】
【０００７】
本願第１請求項に記載した発明は、実施例で用いた符号を付して記すと、時計文字板２が回転する形式のからくり時計１において、
時計支持板３には前記時計文字板２を回転駆動させるモータユニットＭを備え、
前記時計文字板２は、中央部を切り欠き形成したリング状板２ａで構成され、
前記時計文字板２の背面側には、リング歯車２ｂを設け、
前記モータユニットＭは、モータの回転軸に駆動連係する輪列４を備え、
前記リング歯車２ｂは、前記輪列４の駆動歯車４ａと噛み合い、
前記リング歯車２ｂと、前記輪列４の駆動歯車４ａとが噛み合う箇所の前記時計支持板３に、前記リング歯車２ｂを外周側から支持するプーリー５を設けたからくり時計である。
【０００８】
本願第２請求項に記載した発明は、請求項１において、前記リング歯車２ｂを支持する前記プーリー５は、時計指針軸６を通る仮想鉛直線を外れる位置に設けられるとともに、前記仮想鉛直線に対し線対称となる前記プーリー５の反対側の時計支持板３には、前記リング歯車２ｂを支持する第２のプーリー７が設けられているからくり時計である。
【０００９】
本願第３請求項に記載した発明は、請求項１において、指針軸６を回転中心とする円板ギア９を回転可能に装着するとともに、この円板ギア９に噛み合う複数の回転飾り用ギア１１を回転可能に装着し、更に、前記モータユニットＭに備えた前記輪列４に噛み合う第２輪列４０を設け、前記第２輪列４０に、前記複数の回転飾り用ギア１１のいずれかを噛み合わせたからくり時計である。
【発明の効果】
【００１０】
本願第１請求項に記載した発明は、リング状の文字板を駆動輪列の駆動歯車で回転駆動させるものであって、この駆動歯車と文字板のリング歯車とが噛み合う箇所にプーリーが設けられているので、当該噛み合いが保持され、安定した噛み合い関係が得られる。
【００１１】
本願第２請求項に記載した発明は、リング歯車を支持する前記プーリーが、時計指針軸を通る仮想鉛直線を外れる位置に設けられるとともに、前記仮想鉛直線に対し線対称となる前記プーリーの反対側の時計支持板に、前記リング歯車を支持する第２のプーリーが設けられているので、これら第１、第２のプーリーにてより一層文字板の保持が良好になされ得る。
【００１２】
本願第３請求項に記載した発明は、円板ギアを回転可能に設けるとともに、この円板ギアに噛み合う複数の回転飾り用ギアを設け、更に、前記輪列に噛み合う第２輪列を設けて、この第２輪列に、前記複数の回転飾り用ギアのいずれかを噛み合わせているので、文字板と回転飾り用ギアの双方の回転駆動を１つのモータユニットによって行うことが可能となる。
【００１３】
このように、本願発明によれば、文字板を回転させる機構において、安定した噛み合い関係が得られて品質が安定し、また、文字板を取付ける歯車の寸法管理が容易化され、延いては製造コストを低減することの可能なからくり時計を得ることができる。
【図面の簡単な説明】
【００１４】
【図１】本発明の実施例に係り、からくり時計の正面図である。
【図２】本発明の実施例に係り、からくり時計の縦断面概略図である。
【図３】本発明の実施例に係り、からくり時計の要部正面図である。
【図４】本発明の実施例に係り、からくり時計の要部斜視図である。
【図５】本発明の実施例に係り、からくり時計の輪列構成を示す斜視図である。
【図６】本発明の実施例に係り、時計文字板を示す図で、（１）は正面図、（２）は一部破断側面図である。
【図７】本発明の実施例に係り、からくり時計の飾り歯車構成を示す斜視図である。
【図８】本発明の実施例に係り、輪列の駆動歯車とリング歯車との噛み合い状態を示す正面図である。
【図９】本発明の実施例に係り、輪列の駆動歯車とリング歯車との噛み合い箇所に配置されたプーリーを示す斜視図である。
【図１０】本発明の実施例に係り、リング歯車を支持するプーリーを示す斜視図である。
【図１１】本発明の実施例に係り、リング歯車を支持するプーリーを示す斜視図である。
【図１２】本発明の実施例に係り、リング歯車を上部にて支持するプーリーを正面上方より見た斜視図である。
【図１３】本発明の実施例に係り、リング歯車を上部にて支持するプーリーを背面上方より見た斜視図である。
【図１４】プーリーを時計の前後方向（正面と背面の方向）に弾性付勢する付勢手段を示す斜視図である。
【図１５】本発明の実施例に係り、時計文字板が回転する状態を示す図である。
【発明を実施するための最良の形態】
【００１５】
以下に、本発明の実施例を図面に基づいて説明する。本例のからくり時計１は、時計文字板２が回転する。時計文字板２は、中央部を切り欠き形成したリング状板２ａで構成され、文字板２の背面側には、リング歯車２ｂ設ける。
【００１６】
時計支持板３には、時計文字板２を回転駆動させるモータユニットＭを備える。前記モータユニットＭは、モータの回転軸に駆動連係する輪列４を備える。本例では、モータユニットＭは時計の下部に設けられており、輪列４は、時計の正面視において左側に設けられている。
【００１７】
輪列４には、駆動歯車４ａが設けられており、この駆動歯車４ａは、文字板２のリング歯車２ｂと噛み合う。
【００１８】
前記リング歯車２ｂと、輪列４の駆動歯車４ａとが噛み合う箇所の時計支持板３には、リング歯車２ｂを外周側から支持するプーリー５を設けている。このように、プーリー５を、輪列４の駆動歯車４ａと噛み合う箇所に設けているので、当該箇所の噛み合い状態が保持され、安定した噛み合い関係が得られる。
【００１９】
尚、輪列４は、更に輪列４０と噛み合い、当該輪列４０は、回転飾り１０を回転させるためのギア１１，１１の１つと噛み合っている。各ギア１１，１１は、時計指針軸６の箇所を回転中心とする円板ギア９に噛み合っている。
【００２０】
このように、モータユニットＭから、輪列４、駆動歯車４ａ及びリング歯車２ｂ、つまり文字板２を回転させる駆動経路と、輪列４、輪列４０、ギア１１及び円板ギア９を介して他のギア１１，１１、つまり回転飾り１０，１０を回転させる駆動経路とを備えているので、後述するようにからくり動作時（各正時）に、１つのモータユニットＭにより、複数の部材（文字板２、回転飾り１０）を一度に作動させることができる（図３、図５、図７及び図８参照）。
【００２１】
尚、図１において、時計正面下部に設けられている１１ａは、常時回転歯車で、図示を省略した別のモータにより、前記回転飾り１０，１０とは異なり、常時回転している。この常時回転歯車１１ａの存在により、時計が作動していることが示されるとともに、からくり時計の動的な趣を醸し出すことができる。
【００２２】
更に、本例のからくり時計１には、第２のプーリー７が設けられている。即ち、前記リング歯車２ｂを支持する前記プーリー５は、時計指針軸６を通る仮想鉛直線を外れる位置に設けられている。この例では、プーリー５は文字板の８時に対応する箇所の時計支持板３に設けられている。そして、前記仮想鉛直線に対し線対称となる前記プーリー５の反対側の時計支持板３には、本例では文字板の４時に対応する箇所に、前記リング歯車２ｂを支持する第２のプーリー７が設けられている。
【００２３】
このように、リング歯車を支持するプーリー５と、仮想鉛直線に対し線対称となる当該プーリー５の反対側の時計支持板３に、第２のプーリー７が設けられているので、これら第１、第２のプーリーによって、より一層文字板の保持が良好になされ得る。
【００２４】
また、本例のからくり時計１には、文字板の３時及び９時に対応する箇所の時計支持板３に、文字板２のリング歯車２ｂの外周縁と係合して当該文字板２を支持するプーリー８，８が設けられている。
【００２５】
更に、本例のからくり時計１において、時計支持板３の複数個所には、前記リング歯車２ｂを外周側から支持するプーリー１２を設けている。即ち、本例では、時計指針軸６を通る仮想水平線の上部におけるプーリー１２の少なくとも１つ以上に、当該プーリーを下方へ押圧付勢する付勢手段１３を設けている。
【００２６】
この付勢手段１３は、図１２及び図１３に示すように、プーリー１２をコイルバネ１２ｄにより、プーリー１２の本体部１２ａを下方へ押圧付勢している。この例では、プーリー１２の軸部１２ｂを、ボルトを介して時計支持板３に遊嵌し、本体部１２ａとは反対側の軸部１２ｂに、バネ係止部１２ｃを延設してプーリー１２を形成している。これにより、プーリー１２の本体部１２ａは、コイルバネ１２ｄにより下方へ押圧付勢されて、リング歯車２ｂを外周側から常時下方へ押圧して、このリング歯車２ｂを支持することができる。
【００２７】
このように、プーリー１２を常時下方へ押圧付勢する付勢手段１３を設け手いる場合は、プーリー１２の本体部１２ａでリング歯車２ｂを外周側から常時下方へ押圧するので、前述した駆動歯車４ａとリング歯車２ｂとの噛み合い関係を維持することができ、また、コイルバネ１２ｄの作用により、リング歯車２ｂの形状に寸法誤差が生じていても、プーリー１２の本体部１２ａはリング歯車２ｂの形状に追従して可動する。これにより、リング歯車２ｂのガタツキや軋み発生を防止することができる。
【００２８】
上述したように、本例では、時計支持板３の複数個所に、リング歯車２ｂを外周側から支持するプーリー５，７，８，１２を設けているところ、これらのプーリーの少なくとも１つ以上に、当該プーリーを前後方向（時計の正面乃至背面の方向）へ押圧付勢する付勢手段３０を設けている。
【００２９】
前記付勢手段３０は、時計支持板３の板面部３１に、複数の切欠き３２を形成するとともに、この切欠き３２の近傍に凸形状部３３を設けて構成される。即ち、時計支持板３の板面部３１を用いて、これに複数の切欠き３２を形成することにより、この切り欠かれた面部にばね性を設けることができる。そして、その面部に凸形状部３３を形成すると、この凸形状部３３が、前記プーリーに当接して、当該プーリーを弾性付勢することになる。
【００３０】
この実施例では、設置するプーリー５，７，８，１２のすべてに、時計の前後方向に弾性付勢する付勢手段３０を設けている。これにより、リング歯車２ｂのガタツキや軋みが発生したときに、その負荷を軽減することができる。
【００３１】
更に、このようにして、付勢手段３０を、時計支持板３の板面部３１に一体的に形成しているので、部品点数を減らしてコスト低減化を図ることができる。
【００３２】
以上のように構成される本例のからくり時計において、この種の時計に通常設置されているメロディ演奏機能を備えた、正時に作動するからくり動作の１例を示せば、次のとおりである。
【００３３】
正時になると、ほぼ１秒後に、オープニング演奏が開始し、１２〜１３秒続く。このときの時計文字板は図１５（１）に示す通常の状態にある。
【００３４】
オープニング演奏が終了すると、１秒後に、パフォーマンス演奏が開始し、同時に、文字板は時計回転方向に９０°回転し、図１５（２）に示す位置にて駆動停止する。この間、約５〜６秒である。
【００３５】
演奏は続いているが、ここで４秒間停止し、爾後、文字板は時計回転方向に９０°回転し、図１５（３）に示す位置にて駆動停止する。この間、約５〜６秒である。
【００３６】
その後、同様に、演奏は続いているが、ここで４秒間停止する。爾後、文字板は時計回転方向に９０°回転し、図１５（４）に示す位置にて駆動停止する。この間、約５〜６秒である。
【００３７】
そして、パフォーマンス演奏が終了すると、１秒後に、エンディング演奏に移り、同時に、文字板は時計回転方向に９０°回転し、図１５（１）に示す位置に戻る。この間、約５〜６秒である。更にエンディング演奏が約５〜６秒続いて、演奏が終了し、からくり動作が終了する。
【００３８】
また、次の正時に上述したからくり動作が作動されるが、文字板の回転は前記の場合とは反対方向になる。そして、その次のからくり動作は、文字板の回転は時計回転方向となり、これが順次、繰り返される。
【産業上の利用可能性】
【００３９】
本発明のからくり時計は、部品点数の省力化に優れたものであり、壁掛け時計、置き時計、目覚し時計として好適に利用することができる。
【符号の説明】
【００４０】
１    からくり時計
１ａ    ムーブメント
２    時計文字板
２ａ    リング状板
２ｂ    リング歯車
３    時計支持板
４    輪列
４ａ    駆動歯車
５    プーリー
６    時計指針軸
７    プーリー
８    プーリー
９    円板ギア
１０    回転飾り
１１    ギア
１１ａ    常時回転歯車
１２    プーリー
１２ａ    本体部
１２ｂ    軸部
１２ｃ    バネ係止部
１２ｄ    コイルバネ
１３    付勢手段
３０    付勢手段
３１    板面部
３２    切欠き
３３    凸形状部
４０    第２輪列
Ｍ    モータユニット
【図１】
2015197346.tif 000003
【図２】
2015197346.tif 000004
【図３】
2015197346.tif 000005
【図４】
2015197346.tif 000006
【図５】
2015197346.tif 000007
【図６】
2015197346.tif 000008
【図７】
2015197346.tif 000009
【図８】
2015197346.tif 000010
【図９】
2015197346.tif 000011
【図１０】
2015197346.tif 000012
【図１１】
2015197346.tif 000013
【図１２】
2015197346.tif 000014
【図１３】
2015197346.tif 000015
【図１４】
2015197346.tif 000016
【図１５】
2015197346.tif 000017